(57)【要約】【課題】  本発明は鈴棒の転動、紛失および鈴一式の設置スペースまたは移動等の問題を解決し、しかも従来には無い斬新な形態であって、様々なインテリアに調和する打音型の鈴を提供することを目的とする。【解決手段】  器状の鈴本体１を鈴棒２で叩いて音を鳴らす鈴において、鈴棒２を固定手段により鈴本体１の器内に収容する。【選択図】      図１
2010122503.tif 000002
【特許請求の範囲】
【請求項１】
器状の鈴本体（１）を鈴棒（２）で叩いて音を鳴らす鈴において、鈴棒（２）を固定手段により鈴本体（１）の器内に収容することを特徴とする鈴。
【請求項２】
前記鈴本体（１）の器内に前記鈴棒（２）を立設して収容することを特徴とする請求項１記載の鈴。
【請求項３】
前記固定手段として、鈴本体（１）の器内に凹部（３）を備え、前記凹部（３）には、少なくとも鈴棒（２）の一端が着脱可能に嵌ることを特徴とする請求項１または２記載の発明。
【請求項４】
前記固定手段として、鈴本体（１）の器内および鈴棒（２）の少なくとも一端に、お互いが嵌りあう関係となる凹部（３）および凸部（４）を備えていることを特徴とする請求項１または２記載の鈴。
【請求項５】
前記鈴棒（２）は、立設の際、鈴棒（２）の上側の端部が鈴本体（１）の開口部の位置より高くなる長さとすることを特徴とする請求項２、３または４記載の鈴。
【発明の詳細な説明】
【技術分野】
【０００１】
本発明は鈴棒で叩いて音を鳴らす鈴に関するものである。
【背景技術】
【０００２】
鈴は、鈴本体を鈴棒で叩いて音を鳴らす打音具であり、仏事に欠かせない仏具の一つである。また鈴は、クラッシク演奏においては打楽器として用いられ、家庭等においては呼び鈴としても利用されている。
仏具としての鈴は、通常、鈴本体を座布団等に載せた状態で仏壇等に設置し、鈴棒をその傍らに据え置いて使用する。しかしながら、従来の鈴棒は、その大部分が略円形の断面形状であり、水平面上等に鈴棒を据え置いても何らかの外力が作用すると容易に転動してしまうという問題があった。そのため、鈴棒が仏壇から落下し、時には仏壇や仏具を傷つけてしまうことがあった。別の問題点としては、鈴本体と鈴棒等を個別に管理しなければならないので、鈴棒が紛失してしまうことがあった。さらに、鈴は一般的に複数の物で構成されており、全てをまとめて一度に運ぶことができないので、鈴一式の移動は非常に面倒なものであった。
【０００３】
このような鈴棒の据え置きや鈴の管理に関する問題を解決するものとして、例えば特許文献１に示されるような鈴棒置きが存在する。これによると、鈴棒を台に載置することにより鈴棒を安定的に据え置くことができるので、不意に鈴棒が移動してしまうことはなく、しかも鈴棒を紛失する可能性も低くなる。しかしながら、別途、鈴棒置きの設置スペースや収容スペースを確保する必要があり、また、鈴一式の移動は、従来のものと同様に非常に面倒である。
なお、特許文献２のように、鈴台の側面に鈴棒置きを備えたものや、特許文献３のように鈴棒を設置できる鈴一式の収容箱も存在するが、これらの使用にあっても相応の設置スペースを確保する必要がある。
【０００４】
上記の引用発明は、住居が小型化し、省スペース化が求められる今日の住宅事情においては、あまり有効ではない。
また、生活事情が多様化している現在においては、伝統的な装飾が施されている従来の仏具は、荘厳かつ重厚な独特の雰囲気を醸し出すため現代の住居のインテリア等と調和しないことが多くなってきており、そのため現代のインテリア等と調和するようなデザインの仏具が求められている。
【０００５】
【特許文献１】実用新案登録第３００５７１１号公報
【特許文献２】実開平７−７５７８号公報
【特許文献３】特開２００３−４２４号公報
【発明の開示】
【発明が解決しようとする課題】
【０００６】
そこで、本発明は上記の鈴棒の転動、紛失および鈴一式の設置スペースまたは移動等の問題を解決し、しかも従来には無い斬新な形態であって、様々なインテリアに調和する打音型の鈴を提供することを目的とする。
【課題を解決するための手段】
【０００７】
上記課題を解決するための手段として、請求項１記載の発明は、器状の鈴本体を鈴棒で叩いて音を鳴らす鈴において、鈴棒を固定手段により鈴本体の器内に収容することを特徴としている。
【０００８】
これによると、鈴棒を鈴本体に収納することにより、使用上密接不可分の関係にある鈴一式を一括して管理することができる。したがって、従来のように、別途、鈴棒の設置用具を必要とせず、僅かなスペースに設置することができ、しかも、鈴棒を紛失する恐れも無い。また、鈴本体と鈴棒を一括して移動することができるので、鈴一式の移動が容易となる。
【０００９】
請求項２記載の発明は、前記鈴本体の器内に前記鈴棒を立設して収容することを特徴としている。
【００１０】
これによると、鈴本体の器内に鈴棒を立設して収容するので、鈴棒の収容および収容された鈴棒の取り出しが容易となる。また、鈴本体の器内に鈴棒を立設して収容するという従来に無い斬新な形態であることに加えて、鈴の構成がシンプルであることも相まって、人々に外観上の美観や面白さを提供することができると共に、様々な様式のインテリアにも調和させることができる。したがって、鈴の商品価値が向上することとなる。
【００１１】
請求項３記載の発明は、前記固定手段として、鈴本体の器内に凹部を備え、前記凹部には、少なくとも鈴棒の一端が着脱可能に嵌ることを特徴としている。
【００１２】
この構成によれば、鈴棒の収容時において、鈴棒が凹部に固定されるので、鈴棒を器内で安定的に立設させることができる。
なお、鈴棒は、その一端のみを鈴本体の凹部に嵌る形態としてもよいし、両端を凹部に嵌まる形態としてもよい。また、鈴本体の凹部およびこれに嵌る鈴棒の端部の形状は、特に限定されるものではなく、好適に設定することができる。
【００１３】
請求項４記載の発明は、前記固定手段として、鈴本体の器内と鈴棒の少なくとも一端に、お互いが嵌りあう関係となる凹部および凸部を備えていることを特徴としている。
【００１４】
これによると、請求項３記載の発明と同様に、鈴棒の収容時には、鈴棒を安定的に立設させることができる。
ここで、固定手段は、鈴本体と鈴棒の少なくとも一端が嵌りあう関係であれば良く、一方に凹部を設け、他方に凸部を設ける関係となるようにする。例えば、鈴本体に凸部を設ける場合には、鈴棒の少なくとも一端にその凸部に嵌る形態の凹部を設ければよく、あるいはその逆の凹凸関係としてもよい。なお、凹部および凸部の形状は特に限定されるものではない。
【００１５】
請求項５記載の発明については、前記鈴棒は、立設の際、鈴棒の上側の端部が鈴本体の開口部位置より高くなる長さとすることを特徴としている。
【００１６】
この構成によると、鈴棒の収容時において、立設している鈴棒の上側の一部が、鈴本体の器内より突出するので、鈴棒を収容する際には、鈴棒を摘んだ指（手）を器内に入れる必要がなく、収容された鈴棒を取り出す際には、容易に鈴棒を摘むことができるので、鈴棒の収容および取出しがさらに容易となる。しかも、外観上の美観や面白さもより一層増すこととなる。
【発明の効果】
【００１７】
本願による発明のうち、請求項１記載の発明によると、鈴棒を鈴本体の器内に収納することにより、使用上密接不可分の関係にある鈴本体と鈴棒を一括的に管理することが可能となり、小スペースで鈴を設置等することができると共に、鈴棒を紛失する恐れが無くなる。また、鈴本体と鈴棒を一括して移動することができるので、鈴一式の移動が非常に容易となる。
【００１８】
請求項２記載の発明によると、鈴棒の収容および収容状態からの鈴棒の取り出しが容易となる。また、外観上の美観や面白さを提供することができ、商品価値を向上させることができる。
【００１９】
請求項３および４記載の発明によると、鈴棒の収容時において、鈴棒を安定的に立設させることができる。
【００２０】
請求項５記載の発明によると、鈴棒の収容や、収容状態からの鈴棒の取り出しがさらに容易となり、外観上の美観や面白さもより一層向上することとなる。
【発明を実施するための最良の形態】
【００２１】
以下に本発明の具体的な実施形態について図面を用いて説明する。図１および図２は、本発明による鈴の第一実施形態を示す斜視図および断面図であり、図３は、鈴棒２を鈴本体１に収容した状態を示す断面図である。各図に示すように、本発明による鈴は、鈴本体１および鈴棒２により構成される。
【００２２】
鈴本体１は椀状に形成し、鈴本体１の器内中央部には、鈴棒２の固定手段として略円柱状の凹部３を設けている。
【００２３】
一方、鈴棒２は棒状に形成し、少なくともその一端は、鈴本体１の凹部３に立設して嵌まるように、凹部３の形状と略一致する形状としている。ここで、鈴棒２の長さは、鈴棒２を凹部３に嵌めた際に、鈴棒２の上端が鈴本体１の開口部高さよりも高くなるような長さとする。なお、鈴棒２の他端は前記端部と同様の形状としてもよいし、任意の形状としてもよい。
【００２４】
以上の構成によって、鈴棒２の端部を鈴本体１の凹部３に着脱自在に嵌めることができ、鈴本体１の器内で鈴棒２を立設した状態で収容することが可能となる。
【００２５】
このように構成した鈴は、例えば仏鈴、楽器または呼び鈴等として使用することが可能であり、以下にその具体的な使用について説明する。
【００２６】
まず、鈴を使用していない状況においては図３に示すように、鈴棒２の端部のうち凹部３の形状と略一致する方を鈴本体１の凹部３に嵌めて、鈴本体１の器内で鈴棒２を立設させた状態で仏壇に設置したり、保管場所に保管したりしておく。
【００２７】
鈴を鳴らす場合においては、鈴本体１の器内で立設する鈴棒２の上側の端部を摘んで鈴棒２を取り出し、従来の打音型の鈴のように、鈴棒２で鈴本体１を叩いて音を鳴らす。
【００２８】
以上に示した第一実施形態の鈴によると、鈴本体１と鈴棒２を一括的に管理することにより、小スペースに鈴を設置することができ、鈴棒２を紛失する恐れも無くなり、しかも鈴一式を容易に移動させることができる。また、シンプルな構成および形態であることに加え、収納した状態にあっては、従来に無い斬新な形態であるので、外観上の美観や面白さを提供できると共に、様々な様式のインテリアに調和させることもできる。
【００２９】
次に、本発明による鈴の第二実施形態として、図４および図５に示す鈴本体１および鈴棒２が挙げられる。第一実施形態と同様に鈴本体１を椀状に形成し、鈴本体１の器内中央部には、鈴棒２の固定手段として三角柱上の凸部４を設ける。鈴棒２については、基本的には棒状であって、少なくとも鈴棒２の一端側を、鈴本体１の三角柱状の凸部４に嵌り合うようなY字状の凹部３に形成する。鈴棒２の長さは、鈴棒２を立設させた際に、鈴棒２の上端が鈴本体１の開口部位置よりも高くなるようにする。また、鈴棒２の他端については、前記一端と同様にY字状の凹部３としてもよいし、任意の形状としてもよい。
【００３０】
第二実施形態の使用については、第一実施形態のものと基本的には同様であるが、鈴棒２を鈴本体１の器内に収容する場合には、鈴本体１の凸部４に鈴棒の凹部３を嵌め合わせて鈴棒２を立設させる。
【００３１】
この実施形態によると、第一実施形態の機能・効果に加えて、鈴棒２の立設をより安定化できると共に、鈴棒を斬新な形態とすることができる。
【００３２】
最後に、第三実施形態を図６および図７に示す。基本的には第二実施形態と同様のものであるが、鈴本体１の凸部４を略円錐の形状とし、鈴棒２の一端には凸部４と略同形状の凹部３を設けるものである。
使用方法および機能・効果は、第二実施形態のものと同じである。
【００３３】
以上に示した本発明による鈴の実施形態において、鈴本体１および鈴棒２の素材としては、真鍮等の金属やガラス等が挙げられるが、素材は特に限定されるものではなく、他の素材であってもかまわない。また、鈴本体１および鈴棒２の形状についても、上記記載のものに特に限定されるものではなく、本発明の概念の範囲内において、自由に変更することが可能である。
【図面の簡単な説明】
【００３４】
【図１】本発明による鈴の第一実施形態を示す斜視図。
【図２】本発明による鈴の第一実施形態を示す断面図。
【図３】本発明による鈴の第一実施形態において鈴棒の収容状態を示す断面図。
【図４】本発明による鈴の第二実施形態を示す斜視図。
【図５】本発明による鈴の第二実施形態において鈴棒の収容状態を示す断面図。
【図６】本発明による鈴の第三実施形態を示す斜視図。
【図７】本発明による鈴の第三実施形態において鈴棒の収容状態を示す断面図。
【符号の説明】
【００３５】
１    鈴本体
２    鈴棒
３    凹部（固定手段）
４    凸部（固定手段）
【図１】
2010122503.tif 000003
【図２】
2010122503.tif 000004
【図３】
2010122503.tif 000005
【図４】
2010122503.tif 000006
【図５】
2010122503.tif 000007
【図６】
2010122503.tif 000008
【図７】
2010122503.tif 000009